(57)【要約】【課題】基板ケース内の高温化の防止しつつ、外部から不正に基板ケースに収納された制御基板にアクセスする不正行為を防止することができる遊技機用基板ケースを、簡素な構成で安価に製造できるようにすることを目的とする。【解決手段】基板ケース７は、スロットマシンの制御基板８を内部の収納空間に収納するケース体としてのベース部材７ａおよびカバー部材７ｂと、ベース部材７ａに凹設された通気路９と、通気路９の端部に該通気路９の内部と基板ケース７の外部とを連通して形成された開口９ａ，９ｂと、通気路９を形成する凹部の底壁９ｃに、該通気路９の内部と収納空間とを連通して形成された透孔１０とを備え、開口９ａ，９ｂを除く通気路９を形成する凹部の開放された部分を閉塞するように、基板ケース７をスロットマシンの筐体に当接配置し、開口９ａ，９ｂの輪郭が形成する面と透孔１０の端縁が形成する面とが重ならないように配置されている。【選択図】図２
2014144038.tif 000002
【特許請求の範囲】
【請求項１】
遊技機内部に配設され前記遊技機の制御を司る制御基板を内部の収納空間に収納するケース体と、
前記ケース体に仕切壁により形成された通気路と、
前記通気路の端部に、該通気路の内部と前記ケース体の外部とを連通して形成された開口と、
前記通気路の途中の前記仕切壁に、該通気路の内部と前記収納空間とを連通して形成された透孔と
を備え、
前記開口の輪郭が形成する面と、前記透孔の端縁が形成する面とが重ならないようにずれて配置されている
ことを特徴とする遊技機用基板ケース。
【請求項２】
前記通気路がラビリンス構造を有することを特徴とする請求項１に記載の遊技機用基板ケース。
【請求項３】
前記通気路は、異なる２箇所に前記開口を有することを特徴とする請求項１または２に記載の遊技機用基板ケース。
【請求項４】
前記両開口は、前記ケース体の異なる高さ位置に形成されていることを特徴とする請求項３に記載の遊技機用基板ケース。
【請求項５】
前記通気路側における前記透孔の周縁の前記仕切壁に、隆起部が形成されていることを特徴とする請求項１ないし４のいずれかに記載の遊技機用基板ケース。
【発明の詳細な説明】
【技術分野】
【０００１】
本発明は、遊技機の制御を司る制御基板を内部の収納空間に収納する遊技機用基板ケースに関する。
【背景技術】
【０００２】
従来より、パチンコ機やスロットマシンに代表される遊技機の分野において、遊技の進行や演出の制御を行う制御基板は、不正行為の防止や制御基板に実装される電子部品の保護等の理由により、基板ケースに収納された状態で遊技機内に配設されている。このとき、不正行為防止の観点からは、外部からのアクセスを防止するために制御基板を基板ケースで完全に密閉するのが好ましい。しかしながら、制御基板には発熱性が高い電子部品（例えば、半導体素子）が実装されるため、この発生した熱を外部に逃がさなければ基板ケースの内部（収納空間）が高温化し、制御基板の電子部品が正常に機能しなくなるおそれがある。
【０００３】
そこで、従来では、外部から制御基板へのアクセスを防止しつつ、制御基板から発生した熱を放熱することができる基板ケースが提案されている（特許文献１参照）。
【０００４】
この基板ケースでは、外側に配置された外側板と内側に配置された内側板とを備える２重板構造が採用されており、外側板および内側板それぞれに複数の透孔が設けられるとともに、外側板と内側板との間に隙間が設けられている。そして、内側板の透孔から外側板と内側板との間に設けられた隙間に至る経路、および、当該隙間から外側板の透孔に至る経路により放熱経路が形成され、この放熱経路により基板ケースに収納された制御基板から発生する熱を放熱することができるように構成されている。さらに、外側板の透孔と内側板の透孔との位置をずらすことにより、不正器具が外側板の透孔から直線的に制御基板に侵入することができないように構成されている。
【０００５】
また、特許文献１では、上記した２重板構造において、外側板と内側板との間に隙間を設けずに貼り合せて形成された基板ケースについても開示されており、この場合、貼り合わされた２枚の板に、その厚み方向に屈曲しながら貫通する放熱経路が設けられる。このような放熱経路を設けることで、制御基板から発生した熱を基板ケースの外部に放熱することができるとともに、不正器具が基板ケースの外側から直線的に制御基板に侵入するのを防止することができる。
【先行技術文献】
【特許文献】
【０００６】
【特許文献１】特開２００６−１０１９９９号公報（段落００２８、００２９、００３８、図４、図９等参照）
【発明の概要】
【発明が解決しようとする課題】
【０００７】
しかしながら、特許文献１に記載された基板ケースのように外側板と内側板を設け、両板の間に隙間を設ける構成では、部品点数が増加するのに加えて両板間に隙間を設けるという複雑な構造になるため、基板ケースの製造コストが増加する。
【０００８】
また、外側板と内側板とを、両板間に隙間を設けずに貼り合せ、該貼り合せた両板の厚み方向に屈曲しながら貫通する放熱経路を設ける構成では、放熱経路を屈曲形成する分、基板ケースの製造工程が複雑になり、上記同様、基板ケースの製造コストが増加する。
【０００９】
本発明は、上記課題に鑑みてなされたものであり、基板ケース内の高温化を防止しつつ、外部から不正に基板ケースに収納された制御基板にアクセスする不正行為を防止することができる遊技機用基板ケースを、簡素な構成で安価に製造できるようにすることを目的とする。
【課題を解決するための手段】
【００１０】
上記目的を達成するために、本発明にかかる遊技機用基板ケースは、遊技機内部に配設され前記遊技機の制御を司る制御基板を内部の収納空間に収納するケース体と、前記ケース体に仕切壁により形成された通気路と、前記通気路の端部に、該通気路の内部と前記ケース体の外部とを連通して形成された開口と、前記通気路の途中の前記仕切壁に、該通気路の内部と前記収納空間とを連通して形成された透孔とを備え、前記開口の輪郭が形成する面と、前記透孔の端縁が形成する面とが重ならないようにずれて配置されていることを特徴としている（請求項１）。
【００１１】
また、前記通気路がラビリンス構造を有することを特徴としている（請求項２）。
【００１２】
また、前記通気路は、異なる２箇所に前記開口を有することを特徴としている（請求項３）。
【００１３】
また、前記両開口は、前記ケース体の異なる高さ位置に形成されていることを特徴としている（請求項４）。
【００１４】
また、前記通気路側における前記透孔の周縁の前記仕切壁に、隆起部が形成されていることを特徴としている（請求項５）。
【発明の効果】
【００１５】
請求項１に係る発明によれば、遊技機用基板ケースのケース体には仕切壁により通気路が形成され、この通気路の端部に、該通気路の内部とケース体の外部とを連通する開口が形成されるため、基板ケースの外部とケース体の通気路内部が開口により連通する。また、通気路の途中の仕切壁に、該通気路の内部とケース体の内部の収納空間とを連通する透孔が形成されるため、通気路の内部とケース体の内部の収納空間が連通する。すなわち、ケース体の外部とケース体内部の収納空間とが開口、通気路および透孔により連通することになる。したがって、ケース体に収納された制御基板から発生した熱を通気路の開口から放熱することができるため、遊技機用基板ケース内の高温化を防止することができる。
【００１６】
また、このような構成によると、通気路の開口から通気路の内部を通って、通気路の途中の仕切壁に形成された透孔を通過すれば、遊技機用基板ケースの外部から収納空間内の制御基板にアクセスすることができる。しかしながら、本発明にかかる遊技機用基板ケースでは、外部から不正器具等が侵入する際の入り口となる通気路の開口の輪郭が形成する面と、透孔の端縁が形成する面とが重ならないようにずれて配置されているため、不正器具が開口から直線的に制御基板に侵入することができず、これにより、外部から不正に遊技機用基板ケースに収納された制御基板にアクセスする不正行為を防止することができる。
【００１７】
また、従来の遊技機用基板ケースでは、基板ケース内の高温化を防止しつつ不正行為を防止するに当たり、基板ケースを２重板構造としていたため、部品点数の増加や製造工程が複雑化し、基板ケースの製造にコストがかかるという問題があったが、本発明の遊技機用基板ケースでは、ケース体内に仕切壁により通気路を形成するとともに該通気路の端部に開口を形成し、この通気路の途中の仕切壁に透孔を形成するという簡単な構成により、遊技機用基板ケース内の高温化の防止ならびに不正行為の防止を実現することができる。したがって、遊技機用基板ケースを２重板構造とする場合と比較して、遊技機用基板ケースの部品点数の削減と製造工程の簡素化をはかることができるため、遊技機用基板ケース内の高温化を防止しつつ不正行為を防止することができる遊技機用基板ケースを安価に製造することができる。
【００１８】
また、請求項２に係る発明によれば、通気路をラビリンス構造とすることで、通気路の端部の開口から該通気路の途中の仕切壁に形成された透孔までの経路が、直線にならずに複雑な経路になるため、外部からの不正行為の防止効果がさらに向上する。
【００１９】
また、請求項３に係る発明によれば、通気路が異なる２箇所に開口を有するため、通気路における透孔から一方の開口までの経路をケース体内に収納された制御基板から発生する熱を放熱する放熱経路に利用し、他方の開口から透孔までの経路を外部からの冷気をケース体内の収納空間に供給する冷気供給経路に利用することができる。したがって、制御基板から発生する熱の放熱とケース体内の収納空間の冷却とを円滑に行うことができ、これにより、ケース体内の収納空間の高温化防止効果がさらに向上する。
【００２０】
また、請求項４に係る発明によれば、両開口が、ケース体の異なる高さ位置に形成されるため、制御基板の発熱により暖められた収納空間の軽い気体が高所位置に形成された開口から放出され、外部の冷気が低所位置に形成された開口から制御基板の収納空間に供給されるというスムーズな気体の流れを作り出すことができ、これにより、ケース体内の収納空間の高温化防止効果がさらに向上する。
【００２１】
また、請求項５に係る発明によれば、通気路における透孔の周縁の仕切壁に隆起部を形成することにより、この隆起部が、不正器具が開口から侵入して透孔を通過する際の障害となるため、外部からの不正器具の収納空間への侵入をさらに困難なものとすることができる。
【図面の簡単な説明】
【００２２】
【図１】本発明の遊技機用基板ケースが配設されたスロットマシンの内部を示す斜視図である。
【図２】遊技機用基板ケースの分解斜視図である。
【図３】遊技機用基板ケースの左側面図である。
【図４】遊技機用基板ケースに形成された透孔を示す図である。
【図５】遊技機用基板ケースの右側面図である。
【図６】遊技機用基板ケースの正面図である。
【図７】遊技機用基板ケースのスロットマシンへの取り付け手順の説明図である。
【図８】遊技機用基板ケースのスロットマシン取り付け時の部分断面図である。
【図９】遊技機用基板ケースのスロットマシン取り付け時の部分断面図である。
【図１０】不正器具の遊技機用基板ケースへの侵入経路を説明するための図である。
【図１１】透孔配置位置の変形例を示す図である。
【図１２】通気路の変形例を示す図である。
【図１３】通気路の変形例を示す図である。
【発明を実施するための形態】
【００２３】
本発明の一実施形態にかかる遊技機用基板ケースが配設された遊技機の一例であるスロットマシンの概略構成について図１を参照して説明する。なお、図１は遊技機用基板ケースが配設されたスロットマシンの内部を示す図であり、前扉を開放したときのスロットマシンの斜視図である。
【００２４】
（スロットマシンの構成）
スロットマシン１は、図１に示すように、上方に配置された天板２ａと、下方に配置された底板２ｂと、左側に配置された左側板２ｃ、右側に配置された右側板２ｄと、背面側に配置された背板２ｅとで構成され、前方側が開放された四角箱型の筐体２を備え、この筐体２の開放部分を閉塞する前扉３が、開閉自在に筐体２に取り付けられている。
【００２５】
また、筐体２の内部には、３つのリール（右リール４Ｒ、中リール４Ｍ、左リール４Ｌ）が並設されてなるリール装置４や、遊技者により外部から投入されたメダルをスロットマシン１の内部に貯留しておくとともに、貯留したメダルをメダル受け皿（図示せず）に払い出すためのホッパー装置５や、これらの装置４，５に電源を供給するための電源装置６が設けられている。なお、電源装置６は、後述する制御基板８に対しても電源を供給する。
【００２６】
また、前扉３の略中央には、図柄表示窓３ａが設けられており、各リール４Ｒ，４Ｍ，４Ｌの周面に付されている図柄の一部を表示可能に形成されている。
【００２７】
また、筐体２の内部の左上方であって、左側板２ｃの内側面および背板２ｅの内側面に当接した状態で遊技機用基板ケース７（以下、基板ケース７と称する）が配設されている。このとき、基板ケース７の内部の収納空間には、ＣＰＵ、ＲＯＭ、接続用のコネクタ等の電子部品が実装された制御基板８が収納されている。なお、基板ケース７については後述する。
【００２８】
制御基板８は、スロットマシン１の制御を司るものであり、具体的には、リール装置４に対する各リール４Ｒ，４Ｍ，４Ｌの回転・停止の指示や、ホッパー装置５に対するメダルの払い出しの開始・停止の指示を行うのに加え、音声出力装置（図示せず）や映像表示装置（図示せず）等、スロットマシン１の遊技の進行に必要な各種装置の制御を行う。
【００２９】
（基板ケースの構成）
次に、基板ケース７について、図２〜図５を参照して説明する。なお、図２は基板ケース７の分解斜視図、図３はスロットマシン１に配設した状態における基板ケース７の左側面図、図４は基板ケース７に形成された一の透孔を示す図であり、（ａ）は図３における紙面正面から見たときの図、（ｂ）は（ａ）におけるＧ−Ｇ断面図、図５は基板ケース７の右側面図である。なお、図３においてハッチングされた部分は、基板ケース７がスロットマシン１の筐体２の左側板２ｃの内側面に当接する当接部Ｒを示している。
【００３０】
基板ケース７は、その内部の収納空間に制御基板８を収納し、制御基板８に実装される電子部品の保護、外部からの制御基板８への不正なアクセスの防止および基板ケース７の収納空間の通気を行うものであり、図２に示すように、ベース部材７ａとカバー部材７ｂとを備える。
【００３１】
制御基板８は、その内部や表面に配線パターンが形成された配線基板に上記したような電子部品が実装されてなり、この実施形態における配線基板は、その主面が長辺と短辺とを有する長方形に形成されている。そして、制御基板８には、その四隅に１つずつ、該制御基板８を基板ケース７の収納空間に収納する際の固定位置を決めるための位置決め孔８ａが設けられている。
【００３２】
ベース部材７ａは、スロットマシン１に配設した状態における基板ケース７の左側面を形成する底板７ａ１と、該底板７ａ１の縁から立設された４つの側板として、前方側に配置された前方側板７ａ２と、後方側に配置された後方側板７ａ３と、上方側に配置された上方側板７ａ４と、下方側に配置された下方側板７ａ５とを有し、底板７ａ１および各側板７ａ２〜７ａ５により、基板ケース７による制御基板８の収納空間を形成するベース部材側収納凹部が形成される。このベース部材側収納凹部は、制御基板８を収納できるように、ベース部材７ａの底板７ａ１が、制御基板８の主面の面積よりも大きい長方形に形成されている。
【００３３】
また、ベース部材７ａの底板７ａ１には、それぞれ円筒形を有する複数の基板支持用ボス７ａ６が、制御基板８の位置決め孔８ａに対応する位置に設けられている。このとき、各基板支持用ボス７ａ６それぞれは底板７ａ１の内側面（ベース部材側収納凹部の底壁）からベース部材側収納凹部の開口方向に向けて突出形成されており、各基板支持用ボス７ａ６の突出高さはそれぞれ略同じであり、かつ、各側板７ａ２〜７ａ５の底板７ａ１からの高さより低く形成されている。
【００３４】
また、ベース部材７ａの上方側板７ａ４には、カバー部材７ｂ側に向けて突出形成された被係止部７ａ７が形成されている。このとき、被係止部７ａ７の前方側と後方側それぞれに、平面視が矩形状の被係止孔７ａ８が設けられている。
【００３５】
また、ベース部材７ａの前方側板７ａ２および後方側板７ａ３には、各々、基板ケース７の外側に向けて突出する横断面形状が三角形状をなす突出部７ａ９が形成されている。
【００３６】
また、ベース部材７ａには、基板ケース７により形成された制御基板８の収納空間と外気との通気を行うための通気路９が仕切壁により形成されている。この仕切壁は、基板ケース７の収納空間と通気路９の内部とを仕切る壁であり、具体的には、図３に示すように、スロットマシン１への取り付け時における基板ケース７の左側面を形成するベース部材７ａの外面側（底板７ａ１の外面側）に通気路９が凹設されている。このとき、通気路９は、ベース部材７ａの底板７ａ１の上側の端縁から下側の端縁に渡って延設されており、その端部に、それぞれ該通気路９の内部と基板ケース７の外部とを連通する上側開口９ａと下側開口９ｂとが形成される。なお、ベース部材７ａの外面に凹設された凹部は、底壁９ｃおよび側壁９ｄで形成されており、これらの壁９ｃ，９ｄが上記した仕切壁に相当する。
【００３７】
また、基板ケース７をスロットマシン１に配設した状態では、ベース部材７ａの底板７ａ１の外面における当接部Ｒが筐体２の左側板２ｃの内側面に当接し、この状態において、上側開口９ａおよび下側開口９ｂを除く通気路９の凹部の開放された部分が、筐体２の左側板２ｃにより閉塞される。また、通気路９の途中の仕切壁である通気路９の凹部の底壁９ｃに、それぞれ当該通気路９の内部と基板ケース７の収納空間とを連通する複数の透孔１０が形成される。したがって、基板ケース７の収納空間に収納された制御基板８から発生する熱により暖められた空気が、各透孔１０および通気路９を通って上側開口９ａから放出され、制御基板８を冷やすための冷気が下側開口９ｂから通気路９および各透孔１０を通って基板ケース７の収納空間内に導入される。
【００３８】
また、このような構成によれば、不正器具（例えば、ピアノ線）は上側開口９ａまたは下側開口９ｂから通気路９に侵入し、各透孔１０を通過すれば、制御基板８にアクセスが可能になる。そこで、この実施形態では、図３に示すように、通気路９にいわゆるラビリンス構造を採用することで、両開口９ａ，９ｂのいずれかから基板ケース７内への不正器具の侵入を阻止することができるように構成されている。具体的には、上側開口９ａから下側開口９ｂに至る経路（通気路９）中に複数の屈曲部９ｅが形成されている。なお、不正器具が両開口９ａ，９ｂのうちのいずれかから直線的な経路で制御基板８にアクセスするのを防止するために、各透孔１０は、通気路９の経路中で、開口９ａ，９ｂの付近の経路ではなく、屈曲部９ｅ間の経路上に形成するのが好ましい。
【００３９】
さらに、各透孔１０は、通気路９の凹部の底壁９ｃに形成されており、上側開口９ａの輪郭が形成する面および下側開口９ｂの輪郭が形成する面それぞれに対して、各透孔１０の端縁が形成する面が重ならないようにずれて配置されている。したがって、例えば、下側開口９ｂから不正器具により制御基板８にアクセスを試みる場合、下側開口９ｂから通気路９の屈曲部９ｅを通過して各透孔１０の手間まで侵入することができたとしても、その侵入方向から制御基板８側に９０度に不正器具の先端を曲げなければ各透孔１０を通過して制御基板８にアクセスすることができず、不正器具による制御基板８へのアクセスが困難である。また、このような両開口９ａ，９ｂと各透孔１０との配置関係にすれば、通気路９の構造に関係なく、両開口９ａ，９ｂのいずれかから各透孔１０を通って制御基板８に侵入する経路が直線的になるのを避けることができる。したがって、通気路９に必ずしもラビリンス構造を採用する必要はなく、例えば、通気路９を、両開口９ａ，９ｂを直線で結ぶ経路で形成してもかまわない。
【００４０】
また、この実施形態における各透孔１０は、図４（ａ）に示すように、各々、通気路９を形成する凹部の底壁９ｃにその横断面が円状をなす穴を透設することにより形成される。また、図４（ｂ）に示すように、通気路９側における透孔１０の周縁の底壁９ｃに隆起部１０ａが形成されている。したがって、この隆起部１０ａが、不正器具がいずれかの開口９ａ，９ｂから侵入して各透孔１０を通過する際の障害となるため、不正器具の制御基板８へのアクセスがさらに困難になる。なお、各透孔１０の形状（横断面の形状）は、円状に限らず、任意な形状を採用することができる。
【００４１】
カバー部材７ｂは、図２、図３、図５に示すように、スロットマシン１に配設した状態における基板ケース７の右側面を形成する底板７ｂ１と、該底板７ｂ１の縁から立設された４つの側板として、前方側に配置された前方側板７ｂ２と、後方側に配置された後方側板７ｂ３と、上方側に配置された上方側板７ｂ４と、下方側に配置された下方側板７ｂ５とを有し、底板７ｂ１の反対側が開放された箱型に形成されている。そして、底板７ｂ１および各側板７ｂ２〜７ｂ５により、基板ケース７による制御基板８の収納空間を形成するカバー部材側収納凹部が形成される。このカバー部材側収納凹部は、制御基板８を収納できるように、カバー部材７ｂの底板７ｂ１が、制御基板８の主面の面積よりも大きい長方形に形成されている。
【００４２】
また、カバー部材７ｂの底板７ｂ１には、制御基板８の各位置決め孔８ａに対応する位置に円筒形の基板固定用ボス７ｂ６が設けられている。また、各基板固定用ボス７ｂ６の先端には突起が設けられている。
【００４３】
また、カバー部材７ｂの上方側板７ｂ４の外側面（上方側の面）には、それぞれ上方に向かって突出するとともに、その上端がベース部材７ａから遠ざかる方向に折れ曲がって縦断面形状が逆Ｌ字状をなす２つの係止部７ｂ７が、ベース部材７ａの両被係止孔７ａ８と対応する位置に設けられている。
【００４４】
また、カバー部材７ｂの前方側板７ｂ２には、ベース部材７ａの前方側板７ａ２に形成された突出部７ａ９に対応する位置に、弾性変形して当該突出部７ａ９に係止可能な前方開閉係止部７ｂ８と、カバー部材７ｂをベース部材７ａに装着したときに、ベース部材７ａの前方側板７ａ２に重合する前方覆い部７ｂ９と、カバー部材７ｂの前方側板７ｂ２から前方側に突出する前方突出片７ｂ１０とが形成されている。なお、前方突出片７ｂ１０には、基板ケース７をスロットマシン１の筐体２に取り付け固定するための基板ケース側固定用ねじ孔７ｂ１１が設けられている。
【００４５】
また、カバー部材７ｂの後方側板７ｂ３には、ベース部材７ａの後方側板７ａ３に形成された突出部７ａ９に対応する位置に、弾性変形して当該突出部７ａ９に係止可能な後方開閉係止部７ｂ１２と、カバー部材７ｂをベース部材７ａに装着したときに、ベース部材７ａの後方側板７ａ３に重合する後方覆い部７ｂ１３と、カバー部材７ｂの後方側板７ｂ３の上下端部それぞれに配置され、各々、後方側に突出した２つの後方突出片７ｂ１４とが形成される。なお、両後方突出片７ｂ１４は、基板ケース７をスロットマシン１に配設する際の位置決めを行うために形成されている。
【００４６】
（カバー部材の装着方法）
次に、カバー部材７ｂのベース部材７ａへの装着および制御基板８の基板ケース７への固定方法について、図２および図６を参照して説明する。なお、図６は基板ケース７の正面図である。
【００４７】
まず、それぞれの縦断面形状が逆Ｌ字状をなすカバー部材７ｂの両係止部７ｂ７をベース部材７ａの被係止部７ａ７に設けられた両被係止孔７ａ８に差し込んで、被係止部７ａ７を両係止部７ｂ７に係止させることにより、カバー部材７ｂの上端をベース部材７ａの上端に回動可能に軸支させる。そして、ベース部材７ａの被係止部７ａ７を回動の中心として、カバー部材７ｂの下端を回転させてベース部材７ａに押し込むことにより、カバー部材７ｂの前方開閉係止部７ｂ８および後方開閉係止部７ｂ１２を、それぞれ対応するベース部材７ａの突出部７ａ９に係止させてカバー部材７ｂをベース部材７ａに装着する。このとき、カバー部材７ｂの各基板固定用ボス７ｂ６が、各々、対応する制御基板８の位置決め孔８ａに嵌り込み、制御基板８が基板ケース７内に固定されることにより、図６に示すように、制御基板８が基板ケース７の収納空間内に収納される。
【００４８】
（基板ケースの取り付け方法）
次に、基板ケース７のスロットマシン１への取り付け方法について、図７を参照して説明する。なお、図７は基板ケース７のスロットマシン１への取り付け方法を説明するための図であり、（ａ）は取り付け前、（ｂ）は取り付け後を示す。また、（ａ）において、筐体２の左側板２ｃの内側面に破線で示した部分は、基板ケース７（ベース部材７ａ）の当接部Ｒを当該左側板２ｃに投影したものである。
【００４９】
基板ケース７は、スロットマシン１の筐体２の左上部であって、ベース部材７ａの当接部Ｒが筐体２の左側板２ｃの内側面に当接した状態で取り付けられる。具体的には、図７（ａ）に示すように、筐体２の背板２ｅには、基板ケース７の位置決めを行うための２つの差し込み孔２ｆが上下に並んで形成されている。また、筐体２の左側板２ｃには、基板ケース７をスロットマシン１に固定するための１つの筐体側固定用ねじ孔２ｇが形成されている。なお、両差し込み孔２ｆは、各々、基板ケース７の後方突出片７ｂ１４に対応するものであり、それぞれの縦断面（孔形成面）が、対応する後方突出片７ｂ１４を差し込み可能な大きさおよび形状で形成されている。また、筐体側固定用ねじ孔２ｇは、基板ケース７の基板ケース側固定用ねじ孔７ｂ１１に対応するものであり、基板ケース７が筐体２に固定された状態での基板ケース側固定用ねじ孔７ｂ１１に対応する位置に形成されている。
【００５０】
そして、基板ケース７の両後方突出片７ｂ１４を筐体２の両差し込み孔２ｆに差し込むことにより基板ケース７の位置決めを行い、基板ケース側固定用ねじ孔７ｂ１１および筐体側固定用ねじ孔２ｇにねじ１１を螺合することにより基板ケース７をスロットマシン１の筐体２に取り付ける。
【００５１】
（基板ケースの通気構造）
次に、基板ケース７の通気構造について、図３、図８、図９を参照して具体的に説明する。なお、図８は基板ケース７を取り付けた状態のスロットマシン１の部分断面図であり、図７（ｂ）におけるＡ−Ａ断面図（透孔１０の形成部）を示す。また、図９は図７（ｂ）におけるＢ−Ｂ断面図を示す。
【００５２】
制御基板８から発生した熱を放熱する場合、制御基板８による熱で暖められた空気は、図８に示すように、基板ケース７の各透孔１０を通って、通気路９の内部に流れる。このとき、両開口９ａ，９ｂを除く通気路９の凹部の開放された部分が筐体２の左側板２ｃにより閉塞されているため、暖められた空気が図３に示す通気路９に沿って流れ、図９に示す上側開口９ａから放出される。
【００５３】
また、基板ケース７による制御基板８の収納空間を冷却する場合、外部からの冷気が下側開口９ｂから通気路９の内部に取り込まれる。そして、取り込まれた冷気は通気路９を沿って流れ、各透孔１０から収納空間内に導入される。
【００５４】
（不正行為の防止方法）
次に、不正器具により、基板ケース７の収納空間に収納された制御基板８に不正にアクセスする不正行為の防止方法について、図８および図１０を参照して説明する。なお、図１０は基板ケース７をベース部材７ａ側から見たときの部分斜視図であり、各透孔１０が形成された部分を含む基板ケース７の下端部を示している。
【００５５】
まず、図８に示すように、不正器具Ｃ（例えば、ピアノ線）で基板ケース７に対して前方側から基板ケース７の収納空間内に侵入を試みる場合、カバー部材７ｂの前方覆い部７ｂ９により、収納空間内への不正器具Ｃの侵入が阻止される。また、後方側から侵入を試みる場合、カバー部材７ｂの後方覆い部７ｂ１３により、収納空間内への不正器具Ｄの侵入が阻止される。また、何らかの方法により両覆い部７ｂ９，７ｂ１３を通過できたとしても、前方側においては、ベース部材７ａの前方側板７ａ２およびカバー部材７ｂの前方側板７ｂ２により不正器具Ｃの侵入が阻止され、後方側においては、ベース部材７ａの後方側板７ａ３およびカバー部材７ｂの後方側板７ｂ３により不正器具Ｄの侵入が阻止される。
【００５６】
次に、図１０に示すように、不正器具Ｅで基板ケース７に対して下方側から収納空間内に侵入を試みる場合、下側開口９ｂ以外の場所はベース部材７ａの下方側板７ａ５やカバー部材７ｂの下方側板７ｂ５等により、収納空間内への不正器具Ｅの侵入が阻止される。また、不正器具Ｆが下側開口９ｂから侵入した場合は、上記した通気路９の内部構造により、収納空間内への不正器具Ｆの侵入が阻止される。基板ケース７に対して上側から収納空間内に侵入を試みる場合も、同様に不正器具（図示せず）の侵入が阻止される。
【００５７】
次に、基板ケース７に対して右側から収納空間内に侵入を試みる場合、カバー部材７ｂの底板７ｂ１により、収納空間内への不正器具（図示せず）の侵入が阻止される。また、基板ケース７に対して左側から収納空間内に侵入を試みる場合、ベース部材７ａにおける通気路９の底壁９ｃに形成された各透孔１０から収納空間内に侵入することが考えられるが、ベース部材７ａの底板７ａ１が筐体２の左側板２ｃの内側面と当接しているため、筐体２の左側板２ｃにより、不正器具（図示せず）の侵入が阻止される。
【００５８】
以上のように、この実施形態における基板ケース７では、その収納空間に収納される制御基板８へのアクセスは、通気路９の両開口９ａ，９ｂのいずれかから通気路９を通って、各透孔１０を通過した場合にのみ可能である。また、仮に、不正器具が、両開口９ａ，９ｂのいずれかから侵入した場合であっても、上記したような両開口９ａ，９ｂと各透孔１０との配置関係ならびに通気路９の構造等により、不正器具の制御基板８への侵入を阻止することができるように構成されている。
【００５９】
したがって、上記した実施形態によれば、基板ケース７のベース部材７ａ（底板７ａ１）の外側面に底壁９ｃおよび側壁９ｄで形成された通気路９が凹設され、この通気路９の両端部に、該通気路９の内部と基板ケース７の外部とを連通する上側開口９ａおよび下側開口９ｂが形成される。また、両開口９ａ，９ｂを除く通気路９の凹部の開放された部分が、筐体２の左側板２ｃにより閉塞される。そのため、基板ケース７の外部と通気路９の内部が両開口９ａ，９ｂにより連通する。また、通気路９の途中の底壁９ｃに、それぞれ該通気路９の内部と基板ケース７の内部の収納空間とを連通する複数の透孔１０が形成されるため、通気路９の内部と基板ケース７により形成される制御基板８の収納空間が連通する。すなわち、基板ケース７の外部と基板ケース７の収納空間とが、両開口９ａ，９ｂ、通気路９および各透孔１０により連通することになる。したがって、基板ケース７に収納された制御基板８から発生した熱を通気路９の上側開口９ａから放熱することができるため、基板ケース７の収納空間内の高温化を防止することができる。
【００６０】
また、このような構成によると、通気路９の両開口９ａ，９ｂのいずれかから通気路９の内部を通って、通気路９の途中の底壁９ｃに形成された各透孔１０を通過すれば、基板ケース７の外部から、収納空間内の制御基板８にアクセスすることができる。しかしながら、この実施形態における基板ケース７では、外部から不正器具等が侵入する際の入り口となる通気路９の両開口９ａ，９ｂそれぞれの輪郭が形成する面と、透孔１０の端縁が形成する面とが重ならないようにずれて配置されているため、不正器具が両開口９ａ，９ｂのいずれかから直線的に制御基板８に侵入することができず、これにより、外部から不正に基板ケース７に収納された制御基板８にアクセスする不正行為を防止することができる。
【００６１】
また、従来の遊技機用基板ケースでは、基板ケース内の高温化を防止しつつ、不正行為を防止するに当たり、基板ケースを２重板構造としていたため、部品点数の増加や製造工程が複雑化し、基板ケースの製造にコストがかかるという問題があったが、この実施形態における基板ケース７では、ベース部材７ａに通気路９を凹設するとともに、該通気路９の両端部それぞれに開口９ａ，９ｂを形成し、この通気路９の途中の底壁９ｃに各透孔１０を形成することにより、基板ケース７の収納空間内の高温化の防止ならびに不正行為の防止を実現することができる。したがって、遊技機用基板ケースを２重板構造で形成する場合と比較して、基板ケース７の部品点数の削減と製造工程の簡素化を図ることができるため、基板ケース７の収納空間内の高温化を防止しつつ不正行為を防止することができる基板ケース７を安価に製造することができる。
【００６２】
また、通気路９をラビリンス構造とすることで、通気路９の両開口９ａ，９ｂのいずれかから該通気路９に形成された各透孔１０までの経路が直線にならずに複雑な経路になるため、外部からの不正行為の防止効果がさらに向上する。
【００６３】
また、通気路９の上側の端部に上側開口９ａを形成するとともに下側の端部に下側開口９ｂを形成することにより、両開口９ａ，９ｂが、基板ケース７における異なる高さ位置に配置されるため、制御基板８の発熱により暖められた収納空間内の軽い空気が高所位置に形成された上側開口９ａから放出され、外部の冷気が低所位置に形成された下側開口９ｂから基板ケース７の収納空間に供給されるというスムーズな気体の流れを作り出すことができ、これにより、基板ケース７の収納空間内の高温化防止効果がさらに向上する。
【００６４】
また、通気路９における透孔１０の周縁の底壁９ｃに隆起部１０ａを形成することにより、この隆起部１０ａが、不正器具が両開口９ａ，９ｂのいずれかから侵入して各透孔１０を通過する際の障害となるため、外部からの不正器具の収納空間への侵入をさらに困難なものとすることができる。
【００６５】
（各透孔の配置箇所の変形例）
次に、各透孔１０の配置箇所の変形例について、図１１を参照して説明する。なお、図１１は各透孔１０の配置箇所の変形例を示す図であり、上記した実施形態の図３に対応する図である。また、基板ケース７の構成の一部を図示省略している。
【００６６】
各透孔１０を制御基板８の発熱部の近くに形成することで、基板ケース７の収納空間の放熱特性が向上するため、制御基板８の発熱部の場所に応じて、各透孔１０の配置箇所を変更するとよい。例えば、図１１（ａ）に示すように、各透孔１０を図３を参照して説明した各透孔１０の配置箇所よりも上側開口９ａに近づけて配置してもよいし、図１１（ｂ）に示すように、各透孔１０を分散して配置してもよい。
【００６７】
（通気路の変形例）
次に、通気路９の変形例について、図１２および図１３を参照して説明する。なお、図１２（ａ）および（ｂ）、図１３（ａ）〜（ｄ）は、それぞれ通気路９の変形例を示す図であり、上記した実施形態の図３に対応する図である。また、図１２および図１３において、基板ケース７の構成の一部を図示省略している。
【００６８】
上記した実施形態では、通気路９に２つの開口９ａ，９ｂを設けたが、開口は１つであってもかまわない。例えば、図１２（ａ）に示すように、通気路９の開口を上側開口９ａのみで構成したり、図１２（ｂ）に示すように、開口を下側開口９ｂのみで構成してもよい。このようにしても、基板ケース７の外部と収納空間との間の通気を行うことができる。
【００６９】
また、例えば、図１３（ａ）および（ｂ）に示すように、各屈曲部９ｅの個数を減らして通気路９を形成する構成であってもかまわない。また、図１３（ｃ）に示すように、通気路９の開口を基板ケース７の前方側に配置された前側開口９ａ１と、後方側に配置された後側開口９ｂ１とで構成してもかまわない。また、通気路９の幅Ｗの広さは、適宜、変更するとよい。例えば、図１３（ｄ）に示すように、通気路９の幅Ｗを広げることで、より多くの透孔１０を配置できるようになるため、制御基板８から発生する熱の放熱特性が向上する。また、通気路９の幅Ｗを狭くすることで、不正器具が各透孔１０に侵入するのをより困難なものとすることができる。
【００７０】
なお、本発明は上記した実施形態に限定されるものではなく、その趣旨を逸脱しない限りにおいて、上記したもの以外に種々の変更を行うことが可能である。
【００７１】
例えば、上記した実施形態では、通気路９の底壁９ｃに複数の透孔１０を形成したが、透孔１０の数は１つであってもかまわない。この場合、透孔１０の横断面積の大きさを適宜、調整するとよい。また、各透孔１０の形成箇所は、通気路９の底壁９ｃに限らず、側壁９ｄに形成してもかまわない。この場合、不正器具が、両開口９ａ，９ｂのいずれかから各透孔１０まで、直線的に侵入することができる場所を避けて、各透孔１０を形成するとよい。
【００７２】
また、両開口９ａ，９ｂを除く通気路９の凹部の開放された部分を、別に設けた平板等により閉塞した状態で基板ケース７を形成してもかまわない。この場合、基板ケース７をスロットマシン１の筐体２の左側板２ｃに当接させる必要がない。
【００７３】
また、基板ケース７（ベース部材７ａの当接部Ｒ）を筐体２に当接させる場所は、左側板２ｃの内側面に限らず、例えば、背板２ｅの内側面など、必要に応じて筐体２の内側面（各板２ａ〜２ｅの内側面）の任意の場所に、適宜、変更するとよい。
【符号の説明】
【００７４】
１…スロットマシン（遊技機）、７…基板ケース（遊技機用基板ケース）、７ａ…ベース部材（ケース体）、７ｂ…カバー部材（ケース体）、９…通気路、９ａ…上側開口、９ａ１…前側開口、９ｂ…下側開口、９ｂ１…後側開口、９ｃ…底壁（仕切壁）、９ｄ…側壁（仕切壁）、１０…透孔、１０ａ…隆起部
【図１】
2014144038.tif 000003
【図２】
2014144038.tif 000004
【図３】
2014144038.tif 000005
【図４】
2014144038.tif 000006
【図５】
2014144038.tif 000007
【図６】
2014144038.tif 000008
【図７】
2014144038.tif 000009
【図８】
2014144038.tif 000010
【図９】
2014144038.tif 000011
【図１０】
2014144038.tif 000012
【図１１】
2014144038.tif 000013
【図１２】
2014144038.tif 000014
【図１３】
2014144038.tif 000015